(57)【要約】      （修正有）【課題】パーゴラにワイヤを左側面部、天井面部及び右側面部に掛けて張設する際に、作業中のワイヤの緩みを防止できるワイヤガイドを提供する。【解決手段】ケースと、溝付きプーリー２０およびストッパー２１を備えたワイヤガイド１６とする。溝形のケースに溝付きプ一リー２０が前後に軸支され、また、脚片と連結片とからなるコ字形のストッパー２１が、ケースの側壁にフリクションストップ機構を備えて回動可能に取り付けられる。ワイヤガイド１６をパーゴラに取り付けた左右の横架材の上面に取付け、ワイヤ５をワイヤガイド１６の溝付きプーリー２０に掛けて張設する。ストッパー２１は、左右の脚片とこれらの先端をつないだ連結片とからなるコ字形であって、連結片をワイヤ５に係合させてワイヤ５の戻りを防止する。【選択図】図９
0003214240.tif 000002
【実用新案登録請求の範囲】
【請求項１】
ケースと、溝付きプーリーおよびストッパーとを備えたワイヤガイドであって、
ケースは、底壁と左右の側壁を有する前後方向に長い溝形であり、
溝付きプーリーは一対が前記ケース内に前後方向で間隔をあけて配置され、側壁間に架設されたそれぞれの軸で回転可能に支持されており、
ストッパーは、左右の脚片とこれらの先端をつないだ連結片とからなるコ字形であって、それぞれの脚片の下部が前記ケースの側壁に、指操作が可能な難さで回動可能に軸支されており、
前記ストッパーの脚片は前記連結片が前記ケースにおける前端又は後端を越えてケースの下面側へ回りこめる長さを有している、
ことを特徴としたワイヤガイド。
【請求項２】
請求項１に記載のワイヤガイドであって、さらにワイヤ押さえロッドを備え、
ワイヤ押さえロッドは、前記プーリーのそれぞれに対応してこれらの上方に、ワイヤを挿通可能な間隔をあけて側壁間に架設されていることを特徴としたワイヤガイド。
【請求項３】
請求項１又は２に記載のワイヤガイドとこれを他の部材へ装着するための装着補助具とからなるワイヤ張設部材。
【請求項４】
装着補助具は、レールとレールに対してワイヤガイドを着脱する着脱具であることを特徴とした請求項３に記載のワイヤ張設部材。
【請求項５】
レールは長手方向に沿ったガイドスリットを有し、着脱具は前記ガイドスリットに沿って移動と位置決めが可能な構造であることを特徴とした請求項４に記載のワイヤ張設部材。
【請求項６】
着脱具は、レールの面に直交する軸を有し、レールに対してワイヤガイドを回転可能に取り付ける構造を有することを特徴とした請求項４又は５に記載ワイヤ張設部材。
【請求項７】
装着補助具は、クランプとクランプに対してワイヤガイドを回転可能に取り付けた軸部材であることを特徴とした請求項３に記載のワイヤ張設部材。
【考案の詳細な説明】
【技術分野】
【０００１】
本考案は、例えば、パーゴラにつる性植物を這わせるワイヤを張設するときに使用するワイヤガイドに関する。
【背景技術】
【０００２】
パーゴラ１（図１）は、基本的に前後と左右に配置した４本の柱２（２ａ〜２ｂ）と前後２本の柱（２ａ―２ｂ、２ｃ−２ｄ）の頂部を結合する左右の桁３（３ａ、３ｂ）及び左右の桁３間に架設した多数の垂木４とから構成される。構造的に見ると、左側面部Ａと天井面部Ｂ及び右側面部Ｃからなる断面コ字形の門形構造といえる。
このようなパーゴラ１を緑化する場合、多くは天井面部分Ｂを金網で覆い、金網につる性植物を絡ませてあるが、金網の網目が狭いため、パーゴラ１内に入ると圧迫感を感じる。また、金網は敷設や撤去に手間を要する。
そこで、パーゴラ１に垂直方向および水平方向にワイヤ５を張設し、ワイヤ５に沿ってつる性植物を成長させる緑化構造が提案されている。
【０００３】
このとき、図１のようなパーゴラ１では垂木４の上面左右に横架材６を桁３と平行に架設し、これを経由させてワイヤ５を張設している。このため、パーゴラ１に左側面部Ａから天井面部Ｂを経由して左側面部Ｃへワイヤ５を張設すると天井面部Ｂの両側にワイヤ経路の屈曲箇所Ｄが生じる（図１では、ワイヤ５を１本だけ示している）。
なお、このような屈曲箇所Ｄは横架材６を使用しなくても、また、ワイヤ５を側面部（左側面部Ａなど）とこれに対して角度が異なる天井面部（天井面部Ｂなど）を有するワイヤ張設対象物（パーゴラ、ファザード、駐車場、屋根部を有するテラス、バルコニーなど）へ張設する場合にも生じる。側面部は垂直に限らず、天井面部は水平に限らない。
【０００４】
このとき、１本のワイヤで掛け回すと、屈曲箇所Ｄでワイヤ５が横架材６に接触し、横架材６やワイヤ５が損傷してしまう。また、接触箇所における摩擦によってワイヤ５の引寄せに大きな力が必要になったりする。
横架材６との接触箇所にクッション材や滑り材を配置して作業すると前記の問題は解決できるが、ワイヤ５の一端を地面などに固定して左側面部Ａから天井面部Ｂを経由して右側面部Ｃ下部で引寄せ、緊張状態で固定する必要があるときに、作業者が手を緩めたとたんにワイヤ５が緩むので、左側面部Ａ、天井面部Ｂ及び右側面部Ｃのそれぞれの部分を均等に強く緊張させた状態に維持することが難しい。
このために、パーゴラ１の規模が大きな場合には、天井面部Ｂに作業員を追加し、左側面部Ａの緊張、天井面部Ｂの緊張を順次に維持しながら進めるという２人作業となる。
【０００５】
さらに、横架材６の上面で左右の端部に留め具７を取り付け（図２）、両側の留め具７ｂ間に水平方向のワイヤ５を張り渡す一方、留め具７から外側へアイボルト８を張り出させて固定し、これと地上に設置したもう一つのアイボルト９間にワイヤグリップ１０を介して垂直方向のワイヤ５を張設することもある。
このようにすると、水平方向、垂直方向のワイヤ５はいずれも横架材６に接触しないので、これらが傷つくことはない。
しかし、この構造は、横架材６に多数の留め具７を溶接等で固定する必要があり、また、留め具７自体にもワイヤ側のフックを係合するための孔やアイボルト８などを加工しなければならない。留め具７の数は横架材６が長く、ワイヤ配置のピッチが小さい場合には相当の数になる。
【０００６】
さらに、複数に分断されたワイヤ５が必要で、しかも、各ワイヤ５の両端部にフックを設けるので、部品数が増えると共にワイヤ５を張設する以外に手間を要する。
何よりも、このような構造では、留め具７の位置が固定されており、現場の状況に合わせて、ワイヤ５のピッチや方向を調整して張設することができない。
【考案の概要】
【考案が解決しようとする課題】
【０００７】
前記のような問題は、パーゴラにワイヤを掛け回す場合に限らず、掛け回すワイヤの経路に屈曲箇所があるワイヤ張設作業一般に生じる。
この考案は、ワイヤ経路に屈曲箇所があっても屈曲箇所でのワイヤ及び張設対象物（前記ではパーゴラの横架材）の損傷がなく、かつ、屈曲箇所を経由して連続させたワイヤの張設を一人作業で達成できるワイヤガイドの提供を課題とする。
【課題を解決するための手段】
【０００８】
ワイヤ経路の屈曲箇所に用いる次の構成のワイヤガイドを提供する。
基本的に、ケースと、溝付きプーリーおよびストッパーを備える。
ケースは、底壁と左右の側壁を有する前後方向に長い溝形とする。
溝付きプ一リは一対が前記ケース内に前後方向で間隔をあけて配置される。
各プーリーは、側壁間に架設されたそれぞれの軸で回転可能に支持されている。
ストッパーは、左右の脚片とこれらの先端をつないだ連結片とからなるコ字形とする。
ストッパーは、それぞれの脚片の下部が前記ケースの側壁に、指操作が可能な難さで回動可能に軸支される。
前記ストッパーの脚片は前記連結片が前記ケースにおける前端又は後端を越えてケースの下面側へ回りこめる長さを有している、
“指操作が可能な難さ”とは、ストッパーに指をかけてケースに対して回動させる操作に強い抵抗があり、ワイヤの屈曲復元力によっては回動されない程度の回り難さを意味する。
【０００９】
前記プーリーのそれぞれに対応してこれらの上方に、ワイヤを挿通可能な間隔をあけてワイヤ押さえロッドを側壁間に架設した構造とすることがある。
前記ワイヤガイドに、これを他の部材へ装着するための装着補助具を組み合わせたワイヤ張設部材とすることがある。
装着補助具は、レールとレールに対してワイヤガイドを着脱するための着脱具とすることがある。さらに、レールは長手方向に沿ったガイドスリットを有したものとし、着脱具は前記ガイドスリットに沿って移動と位置決めが可能な構造とすることがある。
そして、着脱具は、いずれの場合もレールの面に直交する軸を有し、レールに対してワイヤガイドを回転可能に取り付ける構造とすることがある。
さらに、装着補助具は、クランプとクランプに対してワイヤガイドを回転可能に取り付けた軸部材とすることがある。
【考案の効果】
【００１０】
ワイヤ経路の屈曲箇所でワイヤが張設対象物と接触しない。
ストッパーを用いてワイヤの張力をワイヤ屈曲箇所で一時的に維持できるので、屈曲箇所を経由して連続するワイヤを屈曲箇所ごとに順次緊張状態を維持させながら、全体を緊張させることができ、一人作業が可能となる。
ワイヤ張設間隔（ピッチ）が制限されない。
装着補助具と組み合わせてワイヤ張設部材とすることにより、取付け箇所の形状にかかわらず広い範囲で使用が可能となる。また、ワイヤを張設する経路を任意の角度に設定することができる。
【００１１】
溝付きプーリーを２個、前後に配置しているので、ワイヤガイドを経由するワイヤの方向が定まり緊張状態が安定する。
ワイヤが引かれる方向を前方とした時、前方のプーリーは後方のプーリーを中心としてケースを下方へ押し付ける方向の力を受けるので、ワイヤガイド全体の姿勢が安定する。
前後のプーリーに間隔があるので、後方のプーリーを張設対象物の縁から後方へ張り出させて配置することができ、ワイヤと張設対象物との接触を確実に防止することができる。
【００１２】
ワイヤ押さえロッドを備えたものでは、緊張作業の開始時にワイヤがワイヤガイドから外れてしまう事態を防止することができる。
装着補助具としてガイドスリットを有するレールを利用してワイヤ張設部材としたものでは、ワイヤの張設位置およびピッチの調整を簡単に行なうことができる。
レールの面にワイヤガイドをレールの面に直交する軸で回転可能に設けてワイヤ張設部材としたものでは、ワイヤの張設方向を任意にかつ、張設方向に沿わせて自動的に定めることができる。
装着補助部材としてクランプを利用するワイヤガイドは、ワイヤ張設対象物に対するワイヤガイドの位置決めと取付け、及び撤去を簡単に行なえる。
【図面の簡単な説明】
【００１３】
【図１】パーゴラの例を示した斜視図。
【図２】従来のワイヤ張設構造を示した斜視図。
【図３】本考案によるワイヤ張設構造の概略を示した正面図。
【図４】（イ）はワイヤガイドの全体を示した斜視図（実施例１）、（ロ）はプーリーの斜視図、（ハ）はプーリーの断面図。
【図５】ワイヤガイドの正面図（内部を破線で示している）。
【図６】ワイヤガイドの平面図。
【図７】ワイヤガイドの右側面図。
【図８】（イ）はワイヤ張設部材を分解して示した正面図（一部断面）、（ロ）はワイヤ張設部材の斜視図。
【図９】ワイヤを張設する状態を示した正面図。
【図１０】ワイヤガイドの角度を調整した状態で示す斜視図。
【図１１】クランプを用いたワイヤガイドの取付け状態を示した正面図。
【図１２】実施例２によるワイヤガイドの正面図（一部透視して示している）。
【図１３】実施例３によるワイヤガイドの斜視図。
【考案を実施するための形態】
【００１４】
〔実施例１〕
図３はパーゴラ１の典型的な構造を示したものであり、左右の柱２ａ、２ｂとこれらの上端をつなぐ垂木４とで門形構造１１を構成しており、この門形構造１１を前後方向へ複数配置してこれらの上部を前後方向に長い左右の桁３ａ，３ｂで結合してある。左右の柱２ａ，２ｃは基礎１２に固定してある。
なお、図は主要部を誇張して大きく記載している。
桁３はこの実施例においてＨ形鋼材を利用しており、上下のウエブ間に前記垂木４の端部が係止されて固定されている。そして、桁３の上面に横架材６（この実施例において、スリット付きの形材）が前後方向に取り付けられている。
【００１５】
パーゴラ１にはつる性植物を絡ませるためのワイヤ５が張設されている。
ワイヤ５は、連続して、基礎１２に固定した左アイボルト１３からパーゴラ１の左側面部Ａに沿って上昇させ、到達した天井面部Ｂの左端から天井面部Ｂを水平に径由させ、天井面部Ｂの右端から右側面部Ｃに沿って下降させ、その先端を基礎１２に固定した右アイボルト１４に固定されている。
符合１５はターンバックルであり、ワイヤ長を調整するためのものである。
【００１６】
そして、前記のアイボルト１３からアイボルト１４にいたるワイヤ５の経路（ワイヤ経路）の屈曲箇所、すなわち、天井面部Ｂの左端と右端にワイヤ張設部材１７が配置されている。ワイヤ張設部材１７はこの考案によるワイヤガイド１６と装着補助具１８（後述）及び前記の横架材６とからなる。
【００１７】
ワイヤガイド１６（図４−図７）は、基本的に、ケース１９と、溝付きプーリー２０およびストッパー２１を備え、この実施例では、ワイヤ押さえロッド２２も備えている。  
ケース１９は、厚さ２ｍｍの鋼板をプレス加工したものであり、底壁２３と左右の側壁２４（２４ａ，２４ｂ）を有する前後方向に長い溝形である。
溝付きプ一リー２０はこの実施例において強靭な硬質ナイロン製であり、一対が前記ケース１９内に前後方向で間隔をあけて配置され、それぞれ前記の側壁２４間に架設された軸２５で回転可能に支持されている。溝付きプーリー２０は図４（ロ）、（ハ）に示すように、左右のフランジ２６の間が断面円弧状の溝２７に形成されている。
【００１８】
ストッパー２１は、厚さ２ｍｍの鋼板をプレス加工したものであり、左右の脚片２８（２８ａ，２８ｂ）とこれらの先端をつないだ連結片２９とからなるコ字形とする。
ストッパー２１は、それぞれの脚片２８ａ，２８ｂの下部が前記ケース１９の側壁２４に、回動可能に軸支（軸支箇所３０ａ，３０ｂ）される。
ストッパー２１の脚片２８は前記連結片２９がケース１９の前端又は後端を越えてケース１９の下面側へ回りこめる長さである（図５）。
そして、前記ストッパー２１は、連結片２９に指をかけて回動させるとき、その操作に強い抵抗がある“指操作が可能な難さ”のフリクションストップ機構とする。
【００１９】
フリクションストップは、具体的には、屈曲されたワイヤ５が一定の張力の下で元に戻ろうとする時の、ワイヤの屈曲復元力によっては回動されない程度の回り難さを意味する。実施例ではストッパー２１の脚片２８をケース１９の側壁２４へ軸支するのに、リベットを用い、脚片２８の内面と側壁２４との間にナイロン樹脂の丸ワッシャを介在させて強く固定することで“指操作が可能な難さ”を実現している。このような“指操作が可能な難さ”はワイヤガイド１６の用途上からストッパー２１をせいぜい１０回程度繰り返し回動する間維持されればよい。
ストッパー２１の連結片２９の中央部であって幅方向両側にワイヤ５を係合するための係合凹部３１が設けられている。
【００２０】
ワイヤ押さえロッド２２は、前記溝付きプーリー２０のそれぞれに対応してこれらの上方に、ワイヤ５を挿通可能な間隔をあけて、前記の側壁２４間に架設して固定してある。
装着補助具１８はワイヤガイド１６を横架材６へ取り付けるために用いるものであり、この実施例において、回転軸３２と、挟持プレート３３と、バネワッシャ３４及び長手方向にスリットを有する形材３５とからなる（図８）。回転軸３２はボルト形であって先端部は雄ねじとなっており、挟持プレート３３には対応した雌ねじ孔が形成されている。形材３５はアルミニウム合金の押し出し成形による形材である。
【００２１】
回転軸３２はケース１９の底壁２３の中央部を貫通しており、底壁２３の下方において、回転軸３２に挟持プレート３３が取り付けられる。挟持プレート３３の幅は、横架材６の上面に形成されたスリットの幅よりも狭く、挟持プレート３３の長さは、スリットの幅よりも大きく、且つ、横架材６の内法幅よりも短い細長形状としてある。
また、回転軸３２の上端に形成された頭部３６は工具掛け部を有し、回転軸３２を回動操作できるようになっている。そして、頭部３６の下面とケース１９の底壁２３との間に前記のバネワッシャ３４が介在される。
【００２２】
パーゴラ１にワイヤ５を張設するときは、垂木４の左右に横架材６を前後方向に掛け渡して固定し、横架材６の上面に前記のワイヤ張設部材１７を利用してワイヤガイド１６を配置する。なお、この実施例において、ワイヤ５は、鋼製ケーブル３７の周囲に合成樹脂製の線条３８をらせん状に巻き付けてある（図９）。
【００２３】
まず、ワイヤ張設部材１７の形材３５にワイヤガイド１６を必要な個数だけ取り付ける。取り付けには装着補助具１８を用いる。具体的には、装着補助具１８の挟持プレート３３を形材３５のスリットに合わせて形材３５の内部に配置した後回転させて形材３５の両側リブに内側から係止させるか、形材３５の端部切り口から挟持プレート３３を形材３５の内部へ入れ込むなどしてワイヤガイド１６を形材３５に取り付ける。
この時、ケース１９が形材３５の上面を幅方向に横切り、一方の（後方の）溝付きプーリー２０が形材３５の外となる側壁２４ａよりも外側へ突出する配置とする。
そして、形材３５上でワイヤガイド１６を設定の間隔（ピッチ）に配置し、回転軸３２の頭部３６に工具を掛けて回転させ、前記挟持プレート３３を形材３５側に引寄せ、その位置を固定する。この位置は挟持プレート３３の引寄せを緩めることにより、適宜調整が可能である。
【００２４】
ついで、形材３５を横架材６の上面に載せ、ねじ止めや取付け金物を利用して固定する。そして、一端を基礎１２に固定したワイヤ５をパーゴラ１の左側面部に沿って上昇させ、先端を天井面部Ｂ左端のワイヤガイド１６に挿通させる（図８〔ロ〕）。このときワイヤ５は前後の溝付きプーリー２０の溝２７に嵌めこみ、これらプーリー２０とワイヤ押さえロッド２２の間を通過させ、かつ、門形をしたストッパー２１の内側を通過させる。
パーゴラ１の左側面部Ａを上昇してきたワイヤ５はワイヤガイド１６における後方の溝付きプーリー２０で天井面部Ｂへ向けた水平方向に屈曲される。
ワイヤ５は溝付きプーリー２０ａ，２０ｂに支持されると共にワイヤ押さえロッド２２によってワイヤ５がケース１９から脱出してしまうのが防止される。
【００２５】
天井面部Ｂにおいてワイヤ５を十分に緊張させたら、ワイヤガイド１６のストッパー２１を前方へ倒し、連結片２９の係合凹部３１でワイヤ５を係合する（図９破線）。すると、ワイヤ５を引く力を緩めても、ワイヤ５が戻ろうとする力の方向がほぼストッパー２１の脚片２８方向となり、また、ストッパー２１を上方へ回動させるワイヤ５の屈曲復元力は脚片２８の軸支箇所３０のフリクションストップと均衡するので、ワイヤ５が後方へ緩んでしまうことがない。
ワイヤ５としてスパイラルワイヤを用いると、鋼製ケーブル３７の周囲に巻き付けた線条３８がストッパー２１に引っ掛かることでも引き戻しが阻止される。
【００２６】
ついで、天井面部Ｂの右端に移動して同じ作業をして天井面部Ｂにワイヤ５を緊張状態で維持し、さらに、天井面部Ｂの右端からワイヤ５を右側面部Ｃへ下降させ、ワイヤ５を十分に緊張させた後ワイヤ５の下端を基礎１２に固定したアイボルト１４に固定する。このときワイヤ５の下端とアイボルト１４の間にターンバックルを介在させると気温の変化などに伴うワイヤ５の伸縮を吸収し、ワイヤ５の緊張状態を良好に維持できる。
ワイヤ５が張設された状態において、天井面部Ｂではワイヤガイド１６のケース１９内を通るワイヤ５は、前後一対の溝付きプーリー２０ａ，２０ｂでガイドされるので、ケース１９の中でワイヤ経路が曲がらず、ワイヤ５がケース１９の側壁２４に接触することがない。
【００２７】
また、ワイヤガイド１６の一方の溝付きプーリー２０は形材３５の外側へ突出しているので、ワイヤ５はパーゴラ１の左側面部Ａや右側面部Ｃから離れて張設され、形材３５やパーゴラ１（ワイヤ張設対象物）と接触することがない。
さらに、天井面部Ｂの左右両端部においてワイヤガイド１６は、ワイヤ５が張設された時前方の溝付きプーリー２０がワイヤ５によって下方へ押し付けられるので、パーゴラ１への取付け状態が安定する。
この作業を繰り返し、パーゴラ１の全体に必要な本数のワイヤ５を張設する。使用するワイヤ５は左側面部Ａ、天井面部Ｂ及び右側面部Ｃで連続した１本である。
【００２８】
以上において、ワイヤガイド１６は、天井面部Ｂにおけるワイヤ５の方向が形材３５の長手方向（桁３の長手方向）と直交する方向としたが、図１０のように斜交させることもできる。
また、装着補助具１８を緩めてから締めなおす作業により、ワイヤガイド１６の配置間隔や直交状態に取り付けたものを、現場で間隔調整したり角度調整したりすることもできる。
ワイヤ張設部材１７をワイヤガイド１６と前記装着補助具１８と形材３５としているが、ワイヤガイド１６をパーゴラ１に取り付けることができればよく、形材３５はスリットのない角管に回転軸３２をねじ込むための雌ネジ孔が形成されたものであってもよい。
【００２９】
さらに、ワイヤ張設部材１７はワイヤガイド１６と前記装着補助具１８とクランプ３９（図１１）の組み合わせとすることもできる。
クランプ３９は、Ｕ字形の本体部４０と、本体部４０の下辺を貫通して下方から螺合されたボルト４１とからなる構造である。ワイヤガイド１６は、本体部４０の上辺に装着補助具１８によって、固定または回動自在に取り付けられる。
クランプ３９によるワイヤガイド１６の取付け構造はパーゴラ１の桁３がＨ形鋼材等水平に張り出すウエブを有する場合に、簡単に取り付けることができ、間隔の調整も簡単である。
【００３０】
〔実施例２〕
図１２は、実施例２であり、実施例１の場合と同様に、ワイヤガイド１６としてケース１９、前後の溝付きプーリー２０、ストッパー２１及びワイヤ押さえロッド２２を備えるが、装着補助具１８がなく、ワイヤ張設部材１７として構成されていない。
つまり、ワイヤガイド１６だけで構成されているが、このようなワイヤガイド１６であっても、例えば桁３がＨ形鋼材で構成されている時、その上面へワイヤガイド１６を直接、単に載置あるいは接着材などを利用して固定し、これらへ前記同様にワイヤ５を掛けまわしてワイヤ５を張設することもできる。
張設作業の時にワイヤガイド１６が移動し易いが、ワイヤ５を張設後はワイヤガイド１６のケース１９と桁３上面との摩擦力によって安定する。
この実施例では、装着補助具１８を有しないので、安価であり、また、ワイヤ張設までの手間が少ない。
【００３１】
〔実施例３〕
図１３は、実施例３であり、実施例２のワイヤガイド１６が備えるワイヤ押さえロッド２２を有しない点が異なる。ワイヤ押さえロッド２２はワイヤ５を張設するときにワイヤ５がワイヤガイド１６のケース１９から跳びださないように注意する必要があるが、必須のものではない。
この種のワイヤガイド１６は張設するワイヤ５の本数に応じて多数を用いるものであること、ワイヤ５が張設されてしまうと、交換したり、調整したりすることが少ない部材であることから、できるだけ安価な構造が望まれる。
【００３２】
以上、実施例について説明した。
本考案のワイヤガイド１６は、パーゴラ１ばかりでなく、カーポート、屋根付きテラスやバルコニーなどにも利用できる。側面部と天井面部それぞれの角度は垂直と水平に限らず、また、これらが交わる垂直面に沿う角度も直角に限らない。また、ワイヤ５はパーゴラ１などの左側面部Ａから右側面部Ｃにいたる横方向ばかりでなく、正面部から後面部に至る縦方向に張設することもある。
一般に、ワイヤ５を張設するに際してワイヤ５が大きく屈曲する箇所に使用できる。
実施例１−実施例３のワイヤガイド１６を組み合わせて使用することもある。
明細書において使用した前後左右等の方向は説明の便宜上のためであり、実際には相対的なものとなる。
【符号の説明】
【００３３】
Ａ  パーゴラの左側面部
Ｂ  パーゴラの天井面部
Ｃ  パーゴラの右側面部
１  パーゴラ
２（２ａ―２ｄ）  柱
３（３ａ，３ｂ）  桁
４  垂木
５  ワイヤ
６  横架材
７  留め具
８  アイボルト（留め具側）
９  アイボルト（基礎側）
１０  ワイヤグリップ
【００３４】
１１  門形構造
１２  基礎
１３  左アイボルト
１４  右アイボルト
１５  ターンバックル
１６  ワイヤガイド
１７  ワイヤ張設部材
１８  装着補助具
１９  ケース
２０  溝付きプーリー
【００３５】
２１  ストッパー
２２  ワイヤ押さえロッド
２３  底壁
２４  側壁
２５  軸（プーリーの）
２６  フランジ
２７  溝
２８  脚片
２９  連結片
３０  軸支箇所
【００３６】
３１  係合凹部
３２  回転軸
３３  挟持プレート
３４  バネワッシャ
３５  形材
３６  頭部
３７  鋼製ケーブル
３８  合成樹脂製の線条
３９  クランプ
４０  本体部
４１  ボルト
【図１】
0003214240.tif 000003
【図２】
0003214240.tif 000004
【図３】
0003214240.tif 000005
【図４】
0003214240.tif 000006
【図５】
0003214240.tif 000007
【図６】
0003214240.tif 000008
【図７】
0003214240.tif 000009
【図８】
0003214240.tif 000010
【図９】
0003214240.tif 000011
【図１０】
0003214240.tif 000012
【図１１】
0003214240.tif 000013
【図１２】
0003214240.tif 000014
【図１３】
0003214240.tif 000015